(57)【要約】  【課題】衣服にシワを寄せることなく衣服への装着が可能で且つ衣服の導電部材として導電糸が用いられる場合であっても導電部材に電気接続することができるコネクタを提供する。  【解決手段】ベース部材１５は、衣服の取り付け部の一方の面に接触する平面状の第１の衣服保持部Ｈ１と、第１の衣服保持部Ｈ１とは異なる位置に配置され且つ第１の衣服保持部に対して垂直な方向に突出する導電性材料から形成された突起２０とを有し、枠部材１６は、衣服の取り付け部の他方の面に接触する平面状の第２の衣服保持部と、第２の衣服保持部Ｈ２とは異なる位置に配置され且つ突起２０が嵌り込む突起収容部とを有し、突起２０は、第１の衣服保持部Ｈ１に対して垂直な方向に延びるスリットを有し、突起２０が突起収容部に嵌り込むことにより、突起２０が衣服の導電部材に電気的に接続される。【選択図】  図２
2019102312.tif 000002
【特許請求の範囲】
【請求項１】
導電部材が装着された衣服の取り付け部を第１の部材と第２の部材で両面から挟むことにより前記衣服に取り付けられるコネクタであって、
前記第１の部材は、前記衣服の取り付け部の一方の面に接触する平面状の第１の衣服保持部と、前記第１の衣服保持部とは異なる位置に配置され且つ前記第１の衣服保持部に対して垂直な方向に突出する導電性材料から形成された突起とを有し、
前記第２の部材は、前記衣服の取り付け部の他方の面に接触する平面状の第２の衣服保持部と、前記第２の衣服保持部とは異なる位置に配置され且つ前記突起が嵌り込む突起収容部とを有し、
前記突起は、前記第１の衣服保持部に対して垂直な方向に延びるスリットを有し、
前記突起が前記突起収容部に嵌り込むことにより、前記突起が前記衣服の前記導電部材に電気的に接続されることを特徴とするコネクタ。
【請求項２】
前記突起は、それぞれ前記第１の衣服保持部に対して垂直な方向に延び且つ互いに対向する一対の平板部と、前記一対の平板部の端部を互いに連結する連結部とを有するようにＵ字形状に曲げられた金属板からなり、
前記スリットは、前記一対の平板部および前記連結部に連続して形成されている請求項１に記載のコネクタ。
【請求項３】
前記第１の部材は、２列に配列された複数の前記突起を有し、前記第２の部材は、２列に配列された複数の前記突起収容部を有し、
前記第１の衣服保持部は、複数の前記突起の外側に配置され、前記第２の衣服保持部は、複数の前記突起収容部の外側に配置されている請求項１または２に記載のコネクタ。
【請求項４】
前記第１の衣服保持部および前記第２の衣服保持部の双方またはいずれか一方は、前記衣服の厚さに応じた段差を有する請求項１〜３のいずれか一項に記載のコネクタ。
【請求項５】
前記第１の部材は、導電性材料からなり且つ前記突起を含むコンタクトを有し、
前記コンタクトは、相手側コネクタのコンタクトに接触する接触部を有する請求項１〜４のいずれか一項に記載のコネクタ。
【請求項６】
前記第２の部材は、前記相手側コネクタを収容するための開口部が中央に形成された枠形状を有し、
前記第１の部材の前記突起が前記第２の部材の前記突起収容部に嵌り込んだときに、前記コンタクトの前記接触部は、前記第２の部材の前記開口部内に位置する請求項５に記載のコネクタ。
【請求項７】
前記導電部材は、前記衣服に接着された導電シートに配置され、
前記突起収容部の内側面と前記突起の外側面との間に前記導電シートを挟んだ状態で前記突起が前記突起収容部に嵌り込むことにより、前記導電部材の表面が前記突起の外側面に接触して前記突起が前記導電部材に電気的に接続される請求項１〜６のいずれか一項に記載のコネクタ。
【請求項８】
前記導電部材は、前記衣服に縫いつけられ且つ導電体を絶縁層で被覆した導電糸からなり、
前記導電糸を前記突起の前記スリットに挟み込んだ状態で前記突起が前記突起収容部に嵌り込むことにより、前記導電糸の絶縁層が前記スリットの内面により剥がされて前記導電体が前記スリットの内面に接触し、前記突起が前記導電体に電気的に接続される請求項１〜６のいずれか一項に記載のコネクタ。
【発明の詳細な説明】
【技術分野】
【０００１】
この発明は、コネクタに係り、特に、導電部材が装着された衣服の取り付け部を第１の部材と第２の部材で両面から挟むことにより衣服に取り付けられるコネクタに関する。
【背景技術】
【０００２】
近年、各種センサ、通信装置等の端末機器をユーザの身体に装着した状態で動作させる、いわゆるウエアラブルデバイスが注目を浴びている。このウエアラブルデバイスは、例えばユーザが着用する衣服に装着された状態で使用されるが、衣服の洗濯時等には、衣服からウエアラブルデバイスを切り離すことが望まれる。
そこで、ウエアラブルデバイスを脱着可能に衣服に装着するために、例えば、特許文献１に開示されているようなコネクタを衣服に取り付け、コネクタを介してウエアラブルデバイスを衣服に装着することが提案されている。
【０００３】
特許文献１に開示されたコネクタは、図２７に示されるように、円板形状のベース部材１と、円環形状の枠部材２とを有している。ベース部材１には、複数のコンタクト３が配置されており、それぞれのコンタクト３の一端が、接点部３Ａとしてベース部材１の表面に露出し、それぞれのコンタクト３の他端は、ベース部材１の表面の外縁近傍において外部接続部３Ｂとしてベース部材１の表面から突出する突起を形成している。コンタクト３の接点部３Ａおよび外部接続部３Ｂ以外の部分は、ベース部材１に埋設されている。
枠部材２は、中央に形成された開口部４を有し、ベース部材１に対向する枠部材２の表面には、ベース部材１の複数の外部接続部３Ｂに対応する図示しない複数の凹部が形成されている。
【０００４】
衣服５には、枠部材２の開口部４と同様の大きさの開口部６が形成されると共に、衣服５の裏面に、複数のコンタクト３に対応する複数の導電部材７が取り付けられている。ベース部材１と枠部材２の間に衣服５を挟みつつ、枠部材２をベース部材１に向けて強く押しつけることにより、衣服５に取り付けられた複数の導電部材７を巻き込みながらベース部材１の複数の外部接続部３Ｂが枠部材２の複数の凹部にそれぞれ嵌合し、複数のコンタクト３が複数の導電部材７に接続されると共に、コネクタが衣服５に取り付けられる。
図示しないウエアラブルデバイスは、枠部材２の開口部４内に挿入されることでコネクタに装着され、衣服５の開口部６および枠部材２の開口部４を通して露出している複数のコンタクト３の接点部３Ａに接続される。
【先行技術文献】
【特許文献】
【０００５】
【特許文献１】特開２０１７−１８２８９７号公報
【発明の概要】
【発明が解決しようとする課題】
【０００６】
しかしながら、特許文献１のコネクタでは、複数の導電部材７と共に衣服５がベース部材１の複数の外部接続部３Ｂと枠部材２の複数の凹部との間に挟み込まれるため、衣服５にシワが寄るという問題点があった。
また、衣服５の導電部材７として、複数の繊維状の導電体を撚り合わせて絶縁層で被覆した導電糸が用いられる場合には、導電部材７を巻き込みながらベース部材１の外部接続部３Ｂを枠部材２の凹部に嵌合するだけでは、絶縁層が存在するために導電部材７をコンタクト３に電気接続することができないという問題もある。
【０００７】
この発明は、このような従来の問題点を解消するためになされたもので、衣服にシワを寄せることなく衣服への装着が可能で且つ衣服の導電部材として導電糸が用いられる場合であっても導電部材に電気接続することができるコネクタを提供することを目的とする。
【課題を解決するための手段】
【０００８】
この発明に係るコネクタは、導電部材が装着された衣服の取り付け部を第１の部材と第２の部材で両面から挟むことにより前記衣服に取り付けられるコネクタであって、第１の部材は、衣服の取り付け部の一方の面に接触する平面状の第１の衣服保持部と、第１の衣服保持部とは異なる位置に配置され且つ第１の衣服保持部に対して垂直な方向に突出する導電性材料から形成された突起とを有し、第２の部材は、衣服の取り付け部の他方の面に接触する平面状の第２の衣服保持部と、第２の衣服保持部とは異なる位置に配置され且つ突起が嵌り込む突起収容部とを有し、突起は、第１の衣服保持部に対して垂直な方向に延びるスリットを有し、突起が突起収容部に嵌り込むことにより、突起が衣服の導電部材に電気的に接続されるものである。
【０００９】
突起は、それぞれ第１の衣服保持部に対して垂直な方向に延び且つ互いに対向する一対の平板部と、一対の平板部の端部を互いに連結する連結部とを有するようにＵ字形状に曲げられた金属板からなり、スリットは、一対の平板部および連結部に連続して形成されていることが好ましい。
第１の部材は、２列に配列された複数の突起を有し、第２の部材は、２列に配列された複数の突起収容部を有し、第１の衣服保持部は、複数の突起の外側に配置され、第２の衣服保持部は、複数の突起収容部の外側に配置されるように構成することができる。
第１の衣服保持部および第２の衣服保持部の双方またはいずれか一方は、衣服の厚さに応じた段差を有することが好ましい。
【００１０】
第１の部材は、導電性材料からなり且つ突起を含むコンタクトを有し、コンタクトは、相手側コネクタのコンタクトに接触する接触部を有することが好ましい。
また、第２の部材は、相手側コネクタを収容するための開口部が中央に形成された枠形状を有し、第１の部材の突起が第２の部材の突起収容部に嵌り込んだときに、コンタクトの接触部は、第２の部材の開口部内に位置することが好ましい。
【００１１】
導電部材は、衣服に接着された導電シートに配置され、突起収容部の内側面と突起の外側面との間に導電シートを挟んだ状態で突起が突起収容部に嵌り込むことにより、導電部材の表面が突起の外側面に接触して突起が導電部材に電気的に接続されるように構成することができる。
また、導電部材は、衣服に縫いつけられ且つ導電体を絶縁層で被覆した導電糸からなり、導電糸を突起のスリットに挟み込んだ状態で突起が突起収容部に嵌り込むことにより、導電糸の絶縁層がスリットの内面により剥がされて導電体がスリットの内面に接触し、突起が導電体に電気的に接続されるように構成することもできる。
【発明の効果】
【００１２】
この発明によれば、第１の部材は、衣服の取り付け部の一方の面に接触する平面状の第１の衣服保持部と、第１の衣服保持部とは異なる位置に配置され且つ第１の衣服保持部に対して垂直な方向に突出する導電性材料から形成された突起とを有し、第２の部材は、衣服の取り付け部の他方の面に接触する平面状の第２の衣服保持部と、第２の衣服保持部とは異なる位置に配置され且つ突起が嵌り込む突起収容部とを有し、突起は、第１の衣服保持部に対して垂直な方向に延びるスリットを有し、突起が突起収容部に嵌り込むことにより、突起が衣服の導電部材に電気的に接続されるので、衣服にシワを寄せることなく衣服への装着が可能で且つ衣服の導電部材として導電糸が用いられる場合であっても導電部材に電気接続することが可能となる。
【図面の簡単な説明】
【００１３】
【図１】第１の衣服に取り付けられた実施の形態１に係るコネクタを示す斜視図である。
【図２】第１の衣服に取り付けられた実施の形態１に係るコネクタを示す平面図である。
【図３】実施の形態１のコネクタを斜め上方から見た分解斜視図である。
【図４】実施の形態１のコネクタを斜め下方から見た分解斜視図である。
【図５】実施の形態１のコネクタに用いられたベース部材の断面図である。
【図６】実施の形態１のコネクタのベース部材に取り付けられた突起を示す斜視図である。
【図７】第１の衣服の取り付け部を示す斜視図である。
【図８】枠部材上に第１の衣服の取り付け部を配置した状態を斜め下方から見た斜視図である。
【図９】枠部材上に第１の衣服の取り付け部を配置した状態を下方から見た底面図である。
【図１０】図９のＡ−Ａ線断面図である。
【図１１】図１０の要部拡大図である。
【図１２】枠部材上に第１の衣服の取り付け部を挟んでベース部材を配置した状態を斜め下方から見た斜視図である。
【図１３】枠部材上に第１の衣服の取り付け部を挟んでベース部材を配置した状態を下方から見た底面図である。
【図１４】図１３のＢ−Ｂ線断面図である。
【図１５】図１４の要部拡大図である。
【図１６】実施の形態１のコネクタに相手側コネクタを嵌合する状態を示す斜視図である。
【図１７】実施の形態１の変形例に係るコネクタの枠部材上に第１の衣服の取り付け部を挟んでベース部材を配置した状態を示す要部拡大断面図である。
【図１８】第２の衣服の取り付け部を斜め上方から見た斜視図である。
【図１９】第２の衣服の取り付け部を斜め下方から見た斜視図である。
【図２０】ベース部材上に第２の衣服の取り付け部を配置した状態を斜め上方から見た斜視図である。
【図２１】図２０の要部拡大図である。
【図２２】実施の形態１に係るコネクタのベース部材上に第２の衣服の取り付け部を挟んで枠部材を配置した状態を示す断面図である。
【図２３】図２２の要部拡大図である。
【図２４】ベース部材上に第２の衣服の取り付け部を挟んで枠部材を配置した状態を斜め下方から見た斜視図である。
【図２５】実施の形態２に係るコネクタを示す斜視図である。
【図２６】実施の形態３に係るコネクタを示す斜視図である。
【図２７】従来のコネクタを衣服に取り付ける状態を示す斜視図である。
【発明を実施するための形態】
【００１４】
以下、この発明の実施の形態を添付図面に基づいて説明する。
実施の形態１
図１および図２に第１の衣服Ｃ１の取り付け部に取り付けられた実施の形態１に係るコネクタ１１を示す。コネクタ１１は、凹状の相手側コネクタ収容部１２を有し、相手側コネクタ収容部１２の底面からなる嵌合面Ｐ１に、それぞれ導電性の金属板から形成された複数のコンタクト１３が互いに平行な２本の直線に沿って２列に配列されている。また、嵌合面Ｐ１には、複数のコンタクト１３が形成する２列の間で且つ各列の一端の近傍に凸状のロック部１４が配置されている。
【００１５】
ここで、便宜上、それぞれの列の複数のコンタクト１３が配列されている方向をＹ方向、嵌合面Ｐ１に沿い且つＹ方向に垂直な方向をＸ方向、嵌合面Ｐ１が向けられている方向を＋Ｚ方向と呼ぶことにする。
ロック部１４は、嵌合面Ｐ１の−Ｙ方向端部付近に配置されている。
【００１６】
図３および図４に、コネクタ１１の分解斜視図を示す。コネクタ１１は、第１の衣服Ｃ１をＺ方向に挟むベース部材（第１の部材）１５と枠部材（第２の部材）１６を備えている。
ベース部材１５は、ほぼ平板形状を有し、ベース部材１５の＋Ｚ方向側の表面により嵌合面Ｐ１が形成されている。ベース部材１５には、嵌合面Ｐ１から＋Ｚ方向に突出し、互いにＸ方向に対向し、それぞれＹ方向に延びる２つの凸部１７が形成されている。また、これら２つの凸部１７の外側、すなわち、凸部１７よりもベース部材１５の側縁部に近い箇所に、嵌合面Ｐ１をＺ方向に貫通し、それぞれ対応する凸部１７に平行にＹ方向に延びる２つの開口部１８が形成されている。
【００１７】
さらに、ベース部材１５の＋Ｚ方向側の表面には、２つの開口部１８よりもＸ方向の外側の領域を含むベース部材１５の周縁部に、ＸＹ面に沿った第１の衣服保持部Ｈ１が形成されている。
また、ベース部材１５は、複数のコンタクト１３を有しており、それぞれのコンタクト１３の一端は、凸部１７の表面上に露出して接触部１９を形成し、それぞれのコンタクト１３の中間部は、開口部１８から＋Ｚ方向に突出する突起２０を形成している。突起２０は、第１の衣服保持部Ｈ１よりもベース部材１５の中心にずれた位置、すなわち、第１の衣服保持部Ｈ１とは異なる位置に配置されている。
このようなベース部材１５は、例えば、インサート成形法を用いて、複数のコンタクト１３を絶縁性樹脂と一体化することで形成することができる。
【００１８】
枠部材１６は、中央に形成された開口部２１を有しており、開口部２１の内周部と、開口部２１を通して露出するベース部材１５の嵌合面Ｐ１とにより、図１および図２に示した凹状の相手側コネクタ収容部１２が形成される。
枠部材１６の−Ｚ方向側の面には、開口部２１を囲み且つＸＹ面に沿った平坦部２２が形成され、平坦部２２の外側に位置する枠部材１６の周縁部に、平坦部２２を囲み且つ平坦部２２よりも−Ｚ方向側に位置する第２の衣服保持部Ｈ２が形成されている。平坦部２２と第２の衣服保持部Ｈ２との間には、第１の衣服Ｃ１の厚さに応じた高さの段差２３が形成されている。
【００１９】
さらに、平坦部２２には、それぞれＹ方向に延びる２つの凹状の突起収容部２４が形成されている。これらの突起収容部２４は、第２の衣服保持部Ｈ２よりも開口部２１側にずれた位置、すなわち、第２の衣服保持部Ｈ２とは異なる位置に配置されている。突起収容部２４は、ベース部材１５の開口部１８から＋Ｚ方向に突出する複数のコンタクト１３の突起２０を収容するためのものである。
このような枠部材１６は、例えば、絶縁性樹脂を成形することにより形成することができる。
なお、ベース部材１５に形成された４つの挿入孔１５Ａに、枠部材１６の平坦部２２に形成された４つのボス１６Ａを挿入することで、ベース部材１５と枠部材１６を互いに連結して一体化するように構成されている。
【００２０】
図５に示されるように、それぞれのコンタクト１３は、接触部１９および突起２０においては、凸部１７の表面上および開口部１８の上方に露出し、接触部１９および突起２０以外の箇所では、ベース部材１５の内部に埋め込まれるようにベース部材１５に配置されている。
コンタクト１３の突起２０は、図６に示されるように、コンタクト１３を構成する金属板をＵ字形状に曲げることにより、第１の衣服保持部Ｈ１に対して垂直にＹＺ面に沿って延び且つ互いにＸ方向に対向する一対の平板部２５と、これら一対の平板部２５の＋Ｚ方向端部を互いに連結し且つＸＹ面に沿って延びる連結部２６とを有している。さらに、突起２０は、一対の平板部２５から連結部２６にわたって連続して形成され、ＸＺ面に沿って延びるスリット２７を有している。なお、スリット２７は、一対の平板部２５におけるスリット幅よりも連結部２６におけるスリット幅の方が広くなるように形成されている。
【００２１】
ここで、コネクタ１１を第１の衣服Ｃ１に取り付ける方法について説明する。
まず、第１の衣服Ｃ１の取り付け部を図７に示す。第１の衣服Ｃ１には、コネクタ取り付け用の開口部３１が形成されており、第１の衣服Ｃ１の−Ｚ方向側の表面上には、導電シート３２が接着されている。導電シート３２は、コネクタ１１の複数のコンタクト１３に対応する複数の導電部材３３を有し、導電シート３２の端部３２Ａは、複数の導電部材３３と共に第１の衣服Ｃ１の開口部３１内に突出している。
なお、第１の衣服Ｃ１の開口部３１は、枠部材１６の平坦部２２の外形にほぼ等しい形状と平坦部２２の外形寸法にほぼ等しい寸法を有するものとする。
【００２２】
このような第１の衣服Ｃ１の取り付け部が、図８〜図１０に示されるように、枠部材１６の−Ｚ方向側の面上に配置される。このとき、第１の衣服Ｃ１の開口部３１は、枠部材１６の平坦部２２の外形にほぼ等しい形状と平坦部２２の外形寸法にほぼ等しい寸法を有しているので、枠部材１６の平坦部２２が第１の衣服Ｃ１の開口部３１内に挿入され、第１の衣服Ｃ１の＋Ｚ方向側の面において、開口部３１に沿った第１の衣服Ｃ１の縁部が、図４に示した枠部材１６の第２の衣服保持部Ｈ２の上に位置する。
【００２３】
さらに、第１の衣服Ｃ１の開口部３１内に突出する導電シート３２の端部３２Ａが、＋Ｚ方向に屈曲されて、枠部材１６の突起収容部２４の中に挿入される。これにより、図１１に示されるように、導電シート３２の端部３２Ａにおける導電部材３３は、枠部材１６の突起収容部２４の内面に沿って＋Ｚ方向に延びた状態となる。
また、枠部材１６の平坦部２２と第２の衣服保持部Ｈ２との間に形成されている段差２３は、第１の衣服Ｃ１の厚さに応じた高さを有しているので、枠部材１６の平坦部２２と第１の衣服Ｃ１の−Ｚ方向側の面とがほぼ同一面を形成する。
【００２４】
この状態で、図１２および図１３に示されるように、ベース部材１５が−Ｚ方向から第１の衣服Ｃ１の上に配置され、＋Ｚ方向に押し込まれる。このとき、枠部材１６の４つのボス１６Ａがベース部材１５の４つの挿入孔１５Ａに挿入されることで、枠部材１６および第１の衣服Ｃ１に対するベース部材１５の位置決めがなされ、ベース部材１５の複数のコンタクト１３の突起２０が、枠部材１６の突起収容部２４に挿入されて嵌め込まれる。
さらに、ベース部材１５の挿入孔１５Ａから−Ｚ方向に突出する枠部材１６のボス１６Ａの頭部が熱変形等により潰され、これにより、第１の衣服Ｃ１へのコネクタ１１の取り付けが完了する。
【００２５】
図１４に示されるように、ベース部材１５の＋Ｚ方向側の表面の周縁部に形成されている第１の衣服保持部Ｈ１と、枠部材１６の−Ｚ方向側の面の周縁部に形成されている第２の衣服保持部Ｈ２との間に、第１の衣服Ｃ１が導電シート３２と共に挟まれることで、コネクタ１１が第１の衣服Ｃ１に保持される。
ベース部材１５と枠部材１６とにより、凹状の相手側コネクタ収容部１２が形成され、相手側コネクタ収容部１２の底面からなる嵌合面Ｐ１に、複数のコンタクト１３の接触部１９が位置し、凸部１７の表面上に露出している。
【００２６】
また、図１５に示されるように、ベース部材１５のコンタクト１３の突起２０が枠部材１６の突起収容部２４に嵌り込むことで、突起収容部２４の内面に沿って＋Ｚ方向に延びていた導電シート３２の端部３２Ａにおける導電部材３３が、突起収容部２４の内側面と、突起２０の平板部２５の外側面との間に挟み込まれて、突起２０の平板部２５に接触する。これにより、コンタクト１３が導電シート３２の導電部材３３に電気的に接続される。
【００２７】
ここで、第１の衣服Ｃ１は、コンタクト１３の突起２０が貫通する開口部１８よりも外側のベース部材１５の周縁部に形成された第１の衣服保持部Ｈ１と、突起収容部２４が配置された平坦部２２よりも外側の枠部材１６の周縁部に形成された第２の衣服保持部Ｈ２との間に挟まれ、第１の衣服保持部Ｈ１および第２の衣服保持部Ｈ２の内側には、第１の衣服Ｃ１は存在せずに、第１の衣服Ｃ１の開口部３１が位置している。すなわち、突起２０および突起収容部２４は、第１の衣服保持部Ｈ１および第２の衣服保持部Ｈ２とは異なる位置に配置されている。このため、ベース部材１５のコンタクト１３の突起２０が枠部材１６の突起収容部２４に嵌り込んでも、第１の衣服Ｃ１にシワが寄ることはない。
【００２８】
この実施の形態１に係るコネクタ１１は、図１６に示されるように、相手側コネクタＦ１を相手側コネクタ収容部１２内に挿入することにより、相手側コネクタＦ１と嵌合するものである。相手側コネクタＦ１の一端を相手側コネクタ収容部１２内に挿入した後、相手側コネクタＦ１の他端を嵌合面Ｐ１に向けて押し込むことで、コネクタ１１に相手側コネクタＦ１が嵌合する。
【００２９】
コネクタ１１と相手側コネクタＦ１との嵌合により、ベース部材１５の複数のコンタクト１３の接触部１９が、相手側コネクタＦ１の図示しない複数のコンタクトに接触し、相手側コネクタＦ１の複数のコンタクトが、第１の衣服Ｃ１の導電シート３２の複数の導電部材３３に電気的に接続される。
また、コネクタ１１のロック部１４が相手側コネクタＦ１の図示しない被ロック部に引っ掛かることにより、コネクタ１１と相手側コネクタＦ１との嵌合状態がロックされる。
【００３０】
なお、図７に示した第１の衣服Ｃ１においては、導電シート３２の端部３２Ａが、導電部材３３と共に第１の衣服Ｃ１の開口部３１内に突出しており、図１５に示されるように、第１の衣服Ｃ１が枠部材１６の突起収容部２４の中に挿入されることなく、導電シート３２の端部３２Ａのみが突起収容部２４内に挿入されているが、これに限るものではない。
【００３１】
例えば、図１７に示されるように、導電シート３２の端部３２Ａにまで第１の衣服Ｃ１の端部Ｃ１Ａが延び、導電シート３２の端部３２Ａが、第１の衣服Ｃ１の端部Ｃ１Ａと共に枠部材１６の突起収容部２４の中に挿入されていてもよい。このようにしても、導電シート３２の端部３２Ａにおける導電部材３３が、突起２０の平板部２５に接触して、コンタクト１３を導電シート３２の導電部材３３に電気的に接続することができる。
また、第１の衣服Ｃ１の端部Ｃ１Ａは、枠部材１６の突起収容部２４の内面に沿って＋Ｚ方向に延びるだけで、突起２０を越えて第１の衣服保持部Ｈ１および第２の衣服保持部Ｈ２の内側にまでは至っていないので、突起２０が突起収容部２４に嵌り込んでも、第１の衣服Ｃ１にシワが寄ることを防止することができる。
【００３２】
実施の形態１に係るコネクタ１１は、図７に示されるように、導電シート３２が接着された第１の衣服Ｃ１に取り付けられるだけでなく、図１８および図１９に示されるように、複数の導電糸４２が縫いつけられた第２の衣服Ｃ２に対しても、取り付けることができる。
第２の衣服Ｃ２には、コネクタ取り付け用の開口部４１が形成されており、第２の衣服Ｃ２の−Ｚ方向側の表面上に、複数の導電糸４２が縫いつけられている。複数の導電糸４２の端部４３は、開口部４１内に突出している。
ここで、導電糸４２は、複数の繊維状の導電体を撚り合わせて絶縁層で被覆したものとする。
【００３３】
コネクタ１１を第２の衣服Ｃ２に取り付ける方法について説明する。
まず、図２０に示されるように、ベース部材１５の＋Ｚ方向側の表面の上方に第２の衣服Ｃ２の取り付け部を配置し、第２の衣服Ｃ２の開口部４１内に突出している複数の導電糸４２の端部４３を、ベース部材１５の複数の突起２０の上に位置させる。このとき、図２１に示されるように、導電糸４２の端部４３が、突起２０の一対の平板部２５の上を横切ってＸ方向に突出するように、突起２０の連結部２６に形成されているスリット２７内に配置される。なお、一対の平板部２５と連結部２６にわたって連続して形成されているスリット２７は、連結部２６においては、導電糸４２の端部４３の直径より広い幅を有し、平板部２５においては、導電糸４２の端部４３の直径よりわずかに狭い幅を有している。
【００３４】
この状態で、枠部材１６が＋Ｚ方向からベース部材１５の上に配置され、図４に示した枠部材１６の４つのボス１６Ａがベース部材１５の４つの挿入孔１５Ａに挿入される。これにより、ベース部材１５および第２の衣服Ｃ２に対する枠部材１６の位置決めがなされ、ベース部材１５の複数のコンタクト１３の突起２０に、＋Ｚ方向から枠部材１６の突起収容部２４が被せられる。
そして、枠部材１６がベース部材１５に対して−Ｚ方向に押し込まれると、図２２に示されるように、枠部材１６が、第２の衣服Ｃ２および導電糸４２の端部４３を−Ｚ方向に押し込みながら、ベース部材１５の複数のコンタクト１３の突起２０が、枠部材１６の突起収容部２４に嵌り込む。
【００３５】
具体的には、図２３に示されるように、枠部材１６の第２の衣服保持部Ｈ２が、第２の衣服Ｃ２の＋Ｚ方向側の面に接触して第２の衣服Ｃ２を−Ｚ方向に押し込むと共に、枠部材１６の突起収容部２４に隣接する平坦部２２の領域に形成されている段部２２Ａが、突起２０からＸ方向に突出する導電糸４２の端部４３を−Ｚ方向に押し込み、これにより、導電糸４２の端部４３は、突起２０の一対の平板部２５に形成されているスリット２７の−Ｚ方向端部付近にまで挿入される。
【００３６】
このとき、突起２０の平板部２５に形成されているスリット２７は、導電糸４２の端部４３の直径よりわずかに狭い幅を有しているので、導電糸４２の端部４３が、一対の平板部２５に形成されているスリット２７の−Ｚ方向端部付近にまで押し込まれる際に、導電糸４２の端部４３を被覆している絶縁層がスリット２７の内面により擦られて剥がされ、導電糸４２を構成している撚り合わされた複数の導電体がスリット２７の内面に接触する。このようにして、複数のコンタクト１３が、第２の衣服Ｃ２の複数の導電糸４２に電気的に接続される。
【００３７】
なお、図２４に示されるように、ベース部材１５の挿入孔１５Ａから−Ｚ方向に突出する枠部材１６のボス１６Ａの頭部が熱変形等により潰されることで、第２の衣服Ｃ２へのコネクタ１１の取り付けが完了する。
【００３８】
第１の衣服Ｃ１にコネクタ１１を取り付ける際と同様に、第２の衣服Ｃ２は、コンタクト１３の突起２０が貫通する開口部１８よりも外側のベース部材１５の周縁部に形成された第１の衣服保持部Ｈ１と、突起収容部２４が配置された平坦部２２よりも外側の枠部材１６の周縁部に形成された第２の衣服保持部Ｈ２との間に挟まれ、第１の衣服保持部Ｈ１および第２の衣服保持部Ｈ２の内側には、第２の衣服Ｃ２は存在せずに、第２の衣服Ｃ２の開口部４１が位置している。すなわち、突起２０および突起収容部２４は、第１の衣服保持部Ｈ１および第２の衣服保持部Ｈ２とは異なる位置に配置されている。このため、ベース部材１５のコンタクト１３の突起２０が枠部材１６の突起収容部２４に嵌り込んでも、第２の衣服Ｃ２にシワが寄ることはない。
【００３９】
なお、実施の形態１においては、コネクタ１１の嵌合面Ｐ１に、複数のコンタクト１３が互いに平行な２本の直線に沿って２列に配列されているが、これに限るものではなく、複数のコンタクト１３が、１列あるいは３列以上に配列されていてもよい。また、コンタクト１３は、図示された個数に限定されるものではない。
【００４０】
実施の形態２
上述した実施の形態１に係るコネクタ１１は、図１６に示されるように、相手側コネクタＦ１を相手側コネクタ収容部１２内に挿入することにより、相手側コネクタＦ１と嵌合するが、これに限るものではない。
【００４１】
例えば、図２５に示される実施の形態２に係るコネクタ５１は、ほぼ円形の相手側コネクタ収容部５２と、相手側コネクタ収容部５２の底面からなる嵌合面Ｐ２を有している。ほぼ円板形状の相手側コネクタＦ２を、相手側コネクタ収容部５２内に挿入し、嵌合面Ｐ２に沿って回転軸ＣＬ２の回りに回転スライドさせることで、相手側コネクタＦ２がコネクタ５１に嵌合する。
このような回転スライド式のコネクタ５１に対しても、この発明を適用することにより、衣服にシワを寄せることなく衣服にコネクタ５１を装着することができ、また、衣服の導電部材として導電糸が用いられる場合であっても、導電部材にコネクタ５１を電気接続することが可能となる。
【００４２】
実施の形態３
図２６に、実施の形態３に係るコネクタ６１を示す。コネクタ６１は、ほぼ矩形の相手側コネクタ収容部６２と、相手側コネクタ収容部６２の底面からなる嵌合面Ｐ３を有している。ほぼ矩形の板形状の相手側コネクタＦ３を、相手側コネクタ収容部６２内に挿入し、嵌合面Ｐ３に沿って直線的にスライドさせることで、コネクタ６１に相手側コネクタＦ３が嵌合する。
このような直線スライド式のコネクタ６１に対しても、この発明を適用することにより、衣服にシワを寄せることなく衣服にコネクタ６１を装着することができ、また、衣服の導電部材として導電糸が用いられる場合であっても、導電部材にコネクタ６１を電気接続することが可能となる。
【符号の説明】
【００４３】
１  ベース部材、２  枠部材、３  コンタクト、３Ａ  接点部、３Ｂ  外部接続部、４  開口部、５  衣服、６  開口部、７  導電部材、１１，５１，６１  コネクタ、１２，５２，６２  相手側コネクタ収容部、１３  コンタクト、１４  ロック部、１５  ベース部材（第１の部材）、１５Ａ  挿入孔、１６  枠部材（第２の部材）、１６Ａ  ボス、１７  凸部、１８  開口部、１９  接触部、２０  突起、２１  開口部、２２  平坦部、２２Ａ  段部、２３  段差、２４  突起収容部、２５  平板部、２６  連結部、２７  スリット、３１，４１  開口部、３２  導電シート、３２Ａ  端部、３３  導電部材、４２  導電糸、４３  端部、Ｃ１  第１の衣服、Ｃ１Ａ  端部、Ｃ２  第２の衣服、Ｐ１，Ｐ２，Ｐ３  嵌合面、Ｈ１  第１の衣服保持部、Ｈ２  第２の衣服保持部、Ｆ１、Ｆ２，Ｆ３  相手側コネクタ、ＣＬ２  回転軸。
【図１】
2019102312.tif 000003
【図２】
2019102312.tif 000004
【図３】
2019102312.tif 000005
【図４】
2019102312.tif 000006
【図５】
2019102312.tif 000007
【図６】
2019102312.tif 000008
【図７】
2019102312.tif 000009
【図８】
2019102312.tif 000010
【図９】
2019102312.tif 000011
【図１０】
2019102312.tif 000012
【図１１】
2019102312.tif 000013
【図１２】
2019102312.tif 000014
【図１３】
2019102312.tif 000015
【図１４】
2019102312.tif 000016
【図１５】
2019102312.tif 000017
【図１６】
2019102312.tif 000018
【図１７】
2019102312.tif 000019
【図１８】
2019102312.tif 000020
【図１９】
2019102312.tif 000021
【図２０】
2019102312.tif 000022
【図２１】
2019102312.tif 000023
【図２２】
2019102312.tif 000024
【図２３】
2019102312.tif 000025
【図２４】
2019102312.tif 000026
【図２５】
2019102312.tif 000027
【図２６】
2019102312.tif 000028
【図２７】
2019102312.tif 000029